(57)【要約】【課題】テストミスの予防、記述ミス早期発見、デバッグ及びテスト効率アップ等テストの信頼性を向上が可能な表示装置を提供することを目的としている。を提供する。【解決手段】テスタを構成するメインフレームのテスターコントローラに設けられ、ヘッドの操作状態を表示する表示装置において、テストプログラムロード時に、テストプログラムに記述された半導体試験装置の各計測モジュールとＤＵＴ間のテスト経路をブロック図とし、プログラム上の初期設定値をイメージ化して画面に出力する。【選択図】      図１
2008292333.tif 000002
【特許請求の範囲】
【請求項１】
テスタを構成するメインフレームのテスターコントローラに設けられ、ヘッドの操作状態を表示する表示装置において、テストプログラムロード時に、テストプログラムに記述された半導体試験装置の各計測モジュールとＤＵＴ間のテスト経路をブロック図とし、プログラム上の初期設定値をイメージ化して画面に出力することを特徴とする表示装置。
【請求項２】
前記ＤＵＴの電源、グランドピン、入出力を含むＤＵＴの信号により経路の色若しくは太さを区別するようにしたことを特徴とする請求項１に記載の表示装置。
【請求項３】
前記テストプログラムからイメージを生成するとともに前記イメージを変更してプログラムに反映させることを特徴とする請求項１または２に記載の表示装置。
【請求項４】
複数のＤＵＴをテストするに際し各テストプログラム毎にイメージを作成し、所望時に接続状態を確認することを特徴とする請求項１乃至３のいずれかに記載の表示装置。
【発明の詳細な説明】
【技術分野】
【０００１】
本発明は、テスタを構成するメインフレームのテスターコントローラに接続され、ヘッドの操作状態などを表示する表示装置に関し、表示内容の改善を図った表示装置に関するものである。
【背景技術】
【０００２】
図４はテスタを構成するメインフレームのテスターコントローラに接続され、ヘッド（図示省略）の操作状態を表示するパソコン１と、そのパソコン画面を拡大して示す表示画面２である。
図４において、テスターコントローラに接続されたパソコンの表示画面２上で、ＤＵＴ（被測定デバイス）テストにおける大まかなフローとしては、
（１）テストプログラム作成・ロード
（２）テスト実行
（３）テスト結果表示・判定（ＰＡＳＳ  ｏｒ  ＦＡＩＬ)
に分けられる。
【０００３】
図４に示すフローにおいて、（Ａ）部（（２）と（３）の間)には、テストプログラムで所望の設定ができているかどうかを確認できる設定状況確認ツールが用意されている。
図５は図４中の（Ａ）部の設定状況確認におけるテスト画面の一例を示すもので、モジュール（各種電源など）Ｗ〜Ｚ・・・の電圧と電流が現在どのように設定されているかをテキスト文書で表示している。
【０００４】
このような半導体テスト装置における表示装置を有する先行技術としては例えば、下記の特許技術文献が知られている。
【０００５】
【特許文献１】特開平０８−１１４６５４号公報
【特許文献２】特開２００２−１７０３９６号公報
【特許文献３】特開２００３−０２８９２９号公報
【特許文献４】特開２００３−２０２３６３号公報
【０００６】
図５に示すように、電圧、電流等各種パラメータや、測定経路の状態等はテキストベー
スでしか分からない。所望の設定が正常になされているかどうかを確認するために図４のように現状では（Ａ）部（２と３の間）で行っている。
【０００７】
そのため、デバッグモ―ドにおいて、現在の設定を確認するには図示しないキーボードからその都度コマンドを打って確認をする必要がある。（Ａ）部以外（１の前、1と２の間、３の後)でも設定状況を確認する事は可能であるが、（Ａ）部以外においては、通常テストプログラムロード前の初期状態、テスト終了後の終了処理設定の確認に過ぎない。
【発明の開示】
【発明が解決しようとする課題】
【０００８】
テストプログラムの実テスト設定状態を確認するためには現状では画面上にテキストベースで表示されるので一見分かりづらいという問題がある。また、設定更新の都度コマンドを打ち直す必要があり、手間がかかるうえにデバッグ効率が悪いという問題があった。
【０００９】
本発明は、所望の設定が実テスト時になされているか否かを、テストプログラムからイメージ生成、ロード後イメージ出力により、従来のテキストベースではなく、設定した各種パラメータ、テストの経路状態を一目瞭然で分かるように表示する事で、テストミス(誤った設定によるＤＵＴ破壊など)の予防、記述ミス早期発見、デバッグ及びテスト効率アップ等テストの信頼性を向上させることを目的としている。
【課題を解決するための手段】
【００１０】
本発明は上記問題点を解決するためになされたもので、請求項１記載の表示装置の発明においては、
テスタを構成するメインフレームのテスターコントローラに設けられ、ヘッドの操作状態を表示する表示装置において、テストプログラムロード時に、テストプログラムに記述された半導体試験装置の各計測モジュールとＤＵＴ間のテスト経路をブロック図とし、プログラム上の初期設定値をイメージ化して画面に出力することを特徴とする。
【００１１】
請求項２においては請求項１に記載の表示装置において、
前記ＤＵＴの電源、グランドピン、入出力を含むＤＵＴの信号により経路の色若しくは太さを区別するようにしたことを特徴とする。
【００１２】
請求項３においては請求項１または２に記載の表示装置において、
前記テストプログラムからイメージを生成するとともに前記イメージを変更してプログラムに反映させることを特徴とする。
【００１３】
請求項４においては請求項１乃至３のいずれかに記載の表示装置において、
複数のＤＵＴをテストするに際しては各テストプログラム毎にイメージを作成し、所望時に接続状態を確認することを特徴とする
【発明の効果】
【００１４】
以上説明したことから明らかなように本発明の請求項１によれば、次のような効果がある。
テストプログラムロード時に、テストプログラムに記述された半導体試験装置の各計測モジュールとＤＵＴ間のテスト経路をブロック図とし、プログラム上の初期設定値をイメージ化して画面に出力するので、設定した各種パラメータ、テストの経路状態が一目瞭然で分かるようになり、テストミス(誤った設定によるＤＵＴ破壊など)の予防、記述ミスなどの早期発見やデバッグ及びテスト効率アップ等テストの信頼性を上げることが可能となる。
【００１５】
請求項２によれば、ＤＵＴの電源、グランドピン、入出力を含むＤＵＴの信号により経路の色若しくは太さを区別するようにしたので、判別が容易になる。
【００１６】
請求項３によれば、テストプログラムからイメージを生成するとともにイメージを変更してプログラムに反映させるので、テストプログラムの変更をスムーズに行うことができる。
【００１７】
請求項４によれば、複数のＤＵＴをテストするに際しては各テストプログラム毎にイメージを作成し、所望時に接続状態を確認するので、記述ミスなどの早期発見やデバッグ及びテスト効率アップを図ることが可能となる。
【発明を実施するための最良の形態】
【００１８】
図１は本発明の一実施例を示すもので、テスタを構成するメインフレームのテスターコントローラに接続され、テストヘッド（図示省略）の操作状態を表示するパソコン１と、そのパソコン画面を拡大して示す図である。
図４と異なる点は、設定状況の確認をテストプログラム作成・ロードとテスト実行の間に行っているところである。
【００１９】
図２はモジュールとＤＵＴとの接続状態を示すもので、モジュールｘの電圧□Ｖとｙの電圧■Ｖがスイッチ（ａ）と（ｂ）にそれぞれ接続され、接点（ｇ）を介してＤＵＴに接続されている。図では、スイッチはいずれもオフ状態となっている。
また、モジュールｚはスイッチｃを介して電圧△ｍＶがＤＵＴに接続されており、スイッチはオフ状態となっている。
【００２０】
また、モジュールαはスイッチｄを介して電流▲ＡがＤＵＴに接続されており、スイッチはオフ状態となっている。
また、モジュールβの電流○ｍＡとγの電流●Ａがスイッチ（ｅ）と（ｆ）に接続され、接点（ｈ）を介してＤＵＴに接続されており、スイッチはいずれもオフ状態となっている。
【００２１】
図３は図２に示す状態からスイッチ（ａ）とスイッチ（ｄ）がオンとなり、オンとなった経路の部分を太線とした状態を示している。
【００２２】
図２,３によれば、テストプログラムからイメージを生成できるようにするのとは逆にイメージ上で変更した箇所をテストプログラム上に反映できるように応用可能である。
また，ＤＵＴの電源、グラウンド、入出力ピンなど、ＤＵＴの信号によって経路の色を区別すれば明確かつ、誤設定を防止可能となる。
【００２３】
さらに、複数のＤＵＴをテストする際にも各テストプログラム毎にイメージが作成され、必要な時に確認することが可能となる。
また、テストプログラムの中で、予めＤＵＴの最大定格を設定しておくことで、プログラムの誤った設定によるＤＵＴの破壊を事前に防ぐことが可能となる(例えば、プログラムロード時に文法エラーと共にチェックを行うなど) 。
【００２４】
なお、以上の説明は、本発明の説明および例示を目的として特定の好適な実施例を示したに過ぎない。例えばイメージ化する部分は図１に示すテスト実行とテスト結果・表示判定の間であってもよい。従って本発明は、上記実施例に限定されることなく、その本質から逸脱しない範囲で更に多くの変更、変形を含むものである。
【図面の簡単な説明】
【００２５】
【図１】本発明の表示装置の一実施例を示す説明図である。
【図２】本発明の表示装置の一実施例を示す説明図である。
【図３】本発明の表示装置の他の実施例を示す説明図である。
【図４】従来の表示装置の一例を示す説明図である。
【図５】従来の表示装置の一例を示す説明図である。
【符号の説明】
【００２６】
１          パソコン
２          表示画面
【図１】
2008292333.tif 000003
【図２】
2008292333.tif 000004
【図３】
2008292333.tif 000005
【図４】
2008292333.tif 000006
【図５】
2008292333.tif 000007